(57)【要約】【課題】緊急出庫の伝票の判別、および伝票と部品の対応付けを迅速に行うことができ、出庫時間を短縮することができる出庫管理システムを提供することを目的とする。【解決手段】重さセンサー１２とＲＦＩＤリーダ１１により棚に置かれた部品がその位置情報とともに在庫データベースに登録され、アクティブタグ５とアクティブタグリーダ６によりアクティブタグ５を携帯している作業者の位置が捕捉される。緊急出庫の場合、パーソナルコンピュータ２は、伝票種別カラーパレットから未使用の色を選択し、選択した色をＲＦＩＤリーダ１１によりＲＦＩＤタグ１３の電子ペーパーに表示させ、伝票にも印刷し、部品の近くにいる作業者の携帯送受信機４に部品の図番、位置情報とともに選択した色を表示させる。【選択図】図１
2007290863.tif 000002
【特許請求の範囲】
【請求項１】
コンピュータに、１以上の出庫依頼対象物情報を含む出庫依頼に基づき、出庫依頼対象物とその位置とを対応付けて記憶したテーブルから該当する出庫依頼対象物の位置を特定する第１の特定ステップと、
前記出庫依頼の出庫依頼伝票と前記出庫依頼対象物に貼付された電子ペーパーまたは発光素子とに、未出庫状況にある他の出庫依頼伝票と該出庫依頼伝票の出庫依頼対象物に貼付された電子ペーパーまたは発光素子の組とは異なる色を表示させる表示ステップと、
前記出庫依頼対象物の位置と出庫作業者の位置情報に基づき、作業承諾回答を得るまで、前記出庫依頼対象物に近い出庫作業者から順に該出庫作業者の携帯送受信機に前記出庫依頼対象物を識別する情報及び前記出庫依頼伝票と前記出庫依頼対象物に貼付された電子ペーパーまたは発光素子とに表示した色の情報を含む出庫作業依頼を送信する出庫作業依頼ステップと
を実行させるための出庫管理プログラム。
【請求項２】
前記コンピュータに、センサーにより前記出庫依頼対象物となる物品が載置されたこととその位置を検知して、該物品の識別情報とその位置情報を対応付けて前記テーブルに記憶する記憶ステップと、
前記センサーにより前記物品が取り出されたこととその位置を検知して、前記テーブルから該物品の情報を削除する削除ステップと
を更に実行させることを特徴とする請求項１に記載の出庫管理プログラム。
【請求項３】
前記コンピュータに、前記表示ステップにおいて、前記出庫依頼対象物の緊急性が非常に高い場合、前記出庫依頼伝票と前記電子ペーパーまたは発光素子とに予め設定された色を更に表示する緊急表示ステップ
を更に実行させることを特徴とする請求項１または請求項２に記載の出庫管理プログラム。
【請求項４】
前記コンピュータに、前記表示ステップにおいて、前記出庫依頼対象物に使用期限がある場合、使用期限内のもので複数在庫があるときは、入庫日が古い順に選択し、選択したものの前記電子ペーパーまたは発光素子に予め設定された色を更に表示する先入先出表示ステップ
を更に実行させることを特徴とする請求項１から請求項３のいずれかに記載の出庫管理プログラム。
【請求項５】
前記コンピュータに、前記表示ステップにおいて、前記出庫依頼対象物に使用期限がある場合、使用期限切れのものの前記電子ペーパーまたは発光素子に予め設定された表示を行う使用期限切れ表示ステップ
を更に実行させることを特徴とする請求項１から請求項４のいずれかに記載の出庫管理プログラム。
【請求項６】
１以上の出庫依頼対象物情報を含む出庫依頼に基づき、出庫依頼対象物とその位置とを対応付けて記憶したテーブルから該当する出庫依頼対象物の位置を特定する第１の特定手段、
前記出庫依頼の出庫依頼伝票と前記出庫依頼対象物に貼付された電子ペーパーまたは発光素子とに、未出庫状況にある他の出庫依頼伝票と該出庫依頼伝票の出庫依頼対象物に貼付された電子ペーパーまたは発光素子の組とは異なる色を表示させる表示手段、
前記出庫依頼対象物の位置と出庫作業者の位置情報に基づき、作業承諾回答を得るまで、前記出庫依頼対象物に近い出庫作業者から順に該出庫作業者の携帯送受信機に前記出庫依頼対象物を識別する情報及び前記出庫依頼伝票と前記出庫依頼対象物に貼付された電子ペーパーまたは発光素子とに表示した色の情報を含む出庫作業依頼を送信する出庫作業依頼手段
を備えることを特徴とする出庫管理装置。
【請求項７】
コンピュータが、１以上の出庫依頼対象物情報を含む出庫依頼に基づき、出庫依頼対象物とその位置とを対応付けて記憶したテーブルから該当する出庫依頼対象物の位置を特定する第１の特定ステップと、
前記出庫依頼の出庫依頼伝票と前記出庫依頼対象物に貼付された電子ペーパーまたは発光素子とに、未出庫状況にある他の出庫依頼伝票と該出庫依頼伝票の出庫依頼対象物に貼付された電子ペーパーまたは発光素子の組とは異なる色を表示させる表示ステップと、
前記出庫依頼対象物の位置と出庫作業者の位置情報に基づき、作業承諾回答を得るまで、前記出庫依頼対象物に近い出庫作業者から順に該出庫作業者の携帯送受信機に前記出庫依頼対象物を識別する情報及び前記出庫依頼伝票と前記出庫依頼対象物に貼付された電子ペーパーまたは発光素子とに表示した色の情報を含む出庫作業依頼を送信する出庫作業依頼ステップと
を実行することを特徴とする出庫管理方法。
【発明の詳細な説明】
【技術分野】
【０００１】
本発明は、部品倉庫などの出庫管理方法に関し、特に、緊急の出庫依頼を迅速に処理することが望まれる出庫管理方法に関する。
【背景技術】
【０００２】
従来、保守部品を保管する部品倉庫では、多数の部品が常時保管されていて、ＣＥ（Customer Engineer）やコールセンターなどからの出庫依頼により、出庫依頼のかかった部品を探して発送していた。
【０００３】
社会システムなどの障害で一刻も早い復旧が望まれる場合、それに必要な部品は一刻も早く出庫される必要があり、このような要求に対応することが望まれている。
【０００４】
このような緊急の出庫作業は、まず、部品を必要とするＣＥやコールセンターのオペレータが、パーソナルコンピュータなどを操作して、部品在庫管理システムなどから出庫依頼を行い、電話で緊急の出庫があることを部品倉庫に知らせる。
【０００５】
部品倉庫の出庫作業者は、電話でＣＥやコールセンターから部品の出庫／配送依頼を受け、このとき、ユーザ名や部品点数が示される。
【０００６】
出庫作業者は電話連絡を受けてから、部品在庫管理システムの出庫要求伝票を印刷するプリンタの元へ向かい、緊急出庫の伝票を探す。
【０００７】
伝票が見つかると、部品図番（部品の番号）と棚番（部品が置かれている棚の番号）をもとに倉庫の棚から部品を探す。
【０００８】
部品が見つかると、部品を持って所定の場所に戻り、配送支度をし、携行者または配送業者に渡すようになっていた。
【０００９】
このような出庫作業において、緊急出庫の伝票を探す作業や、伝票から部品を探す作業などに時間短縮の余地があると考えられる。
【００１０】
出荷製品を納入用パレットに搭載する際の搭載順序の誤りを少なくし、出荷を迅速に行えるように、製品用パレットに色を付け、納入用パレットに搭載する製品の製品用パレットと同じ色を付けて出荷製品を見分けやすくすることが提案されている（例えば、特許文献１参照）。
【００１１】
また、ＩＣタグとＩＣタグセンサを使って、ＩＣタグを付けたものが室内のどこにあるかを簡単に探索することが提案されている（例えば、特許文献２参照）。
【特許文献１】特許第３５９５３０７号公報
【特許文献２】特開２００３−３３１２３０号公報
【発明の開示】
【発明が解決しようとする課題】
【００１２】
しかしながら、部品倉庫の出庫管理システムに特許文献１のような技術を適用しても、部品の種類（図番）ごとに異なる色を割り当てなければならず、部品の数が多くなると色の数が多くなり、色の違いを判別するのが難しくなる。
【００１３】
また、色の判別をし易くするため、同じ棚には同様の色を配置しないようにすることも考えられるが、色の数が多くなると色の割り当てに手間がかかってしまう。
【００１４】
また、特許文献２のような技術を適用した場合、棚の場所までは分かるが、最終的には伝票の図番と一致するものを探さなければならず、時間短縮の余地がある。
【００１５】
そこで、本発明は、緊急出庫の伝票の判別、および伝票と部品の対応付けを迅速に行うことができ、出庫時間を短縮することができる出庫管理システムを提供することを目的とする。
【課題を解決するための手段】
【００１６】
上記課題を解決する発明は、１以上の出庫依頼対象物情報を含む出庫依頼に基づき、出庫依頼対象物とその位置とを対応付けて記憶したテーブルから該当する出庫依頼対象物の位置を特定する第１の特定ステップと、前記出庫依頼の出庫依頼伝票と前記出庫依頼対象物に貼付された電子ペーパーまたは発光素子とに、未出庫状況にある他の出庫依頼伝票と該出庫依頼伝票の出庫依頼対象物に貼付された電子ペーパーまたは発光素子の組とは異なる色を表示させる表示ステップと、前記出庫依頼対象物の位置と出庫作業者の位置情報に基づき、作業承諾回答を得るまで、前記出庫依頼対象物に近い出庫作業者から順に該出庫作業者の携帯送受信機に前記出庫依頼対象物を識別する情報及び前記出庫依頼伝票と前記出庫依頼対象物に貼付された電子ペーパーまたは発光素子とに表示した色の情報を含む出庫作業依頼を送信する出庫作業依頼ステップとを実行することを特徴とするものである。
【００１７】
この発明では、出庫依頼の伝票と出庫依頼対象物に貼付された電子ペーパーまたは発光素子に同じ色が表示され、出庫作業者にもその色が通知される。したがって、出庫依頼の伝票と出庫対象物を容易に見つけることができる。
【００１８】
ここで、センサーにより前記出庫依頼対象物となる物品が載置されたこととその位置を検知して、該物品の識別情報とその位置情報を対応付けて前記テーブルに記憶する記憶ステップと、前記センサーにより前記物品が取り出されたこととその位置を検知して、前記テーブルから該物品の情報を削除する削除ステップとを更に実行することとする。
【００１９】
このようにすれば、決められた場所に部品を置く必要がなく、棚スペースの有効利用を図ることができる。
【００２０】
さらに、前記表示ステップにおいて、前記出庫依頼対象物の緊急性が非常に高い場合、前記出庫依頼伝票と前記電子ペーパーまたは発光素子とに予め設定された色を更に表示する緊急表示ステップを更に実行することとする。
【００２１】
このようにすれば、緊急性が非常に高い物品には更に色が表示され、緊急の出庫依頼の伝票と出庫対象物を容易に見分けることができる。
【００２２】
また、前記表示ステップにおいて、前記出庫依頼対象物に使用期限がある場合、使用期限内のもので複数在庫があるときは、入庫日が古い順に選択し、選択したものの前記電子ペーパーまたは発光素子に予め設定された色を更に表示する先入先出表示ステップを更に実行することとする。
【００２３】
このようにすれば、複数在庫がある物品では、入庫日が古い順に選択され、更に色が表示され、入庫日の古い物品から出庫することができる。
【００２４】
また、前記表示ステップにおいて、前記出庫依頼対象物に使用期限がある場合、使用期限切れのものの前記電子ペーパーまたは発光素子に予め設定された表示を行う使用期限切れ表示ステップを更に実行することとする。
【００２５】
このようにすれば、使用期限切れの物品には特別な表示がされ、使用期限切れを知らせることができる。
【発明の効果】
【００２６】
本発明によれば、出庫依頼の伝票と出庫依頼対象物に貼付された電子ペーパーまたは発光素子に同じ色を表示し、出庫作業者にもその色を通知しているので、出庫依頼の伝票と出庫依頼対象物を容易に見つけることができ、出庫時間を短縮することができる。
【００２７】
また、センサーにより物品が置かれたこととその位置を検知し、該物品とその位置をテーブルに記憶し、物品が取り出されたこととその位置を検知し、該物品とその位置をテーブルから削除すれば、決められた場所に部品を置く必要がなく、棚スペースの有効利用を図ることができる。
【００２８】
さらに、緊急性が非常に高い場合、出庫依頼伝票と出庫依頼対象物に貼付された電子ペーパーまたは発光素子にさらに色を表示すれば、緊急の出庫依頼の伝票と出庫対象物を容易に見分けることができる。
【００２９】
また、使用期限がある場合、使用期限内のもので複数在庫があるときは、入庫日が古い順に選択し、選択したものの電子ペーパーまたは発光素子にさらに色を表示すれば、入庫日の古い物品から出庫することができる。  
【００３０】
また、使用期限がある場合、使用期限切れのものの前記電子ペーパーまたは発光素子に表示を行えば、使用期限切れを知らせることができる。
【発明を実施するための最良の形態】
【００３１】
以下、本発明を図面を参照して説明する。
【００３２】
図１は本発明の第１実施形態の出庫管理システムを示す図である。
【００３３】
図１において、本実施形態の出庫管理システムは、出庫待ちの部品が収納されている部品棚１と、部品棚１に収納されている部品の在庫管理や出庫の管理を行うパーソナルコンピュータ２と、パーソナルコンピュータ２に接続され出庫伝票を印刷するプリンタ３と、作業者が携帯し、パーソナルコンピュータ２と通信してパーソナルコンピュータ２からのメッセージを受信したり、受信したメッセージへの応答を作業者の指示により送信したりする携帯送受信機４と、作業者が携帯し、無線波を発して自識別情報を送信するアクティブタグ５と、アクティブタグ５からの電波を受信するアクティブタグリーダ６とを備えている。
【００３４】
部品棚１とパーソナルコンピュータ２はネットワークなどのインタフェース７で接続され、インタフェース７を介して通信を行う。
【００３５】
アクティブタグリーダ６とパーソナルコンピュータ２も接続され、アクティブタグリーダ６が読み取ったアクティブタグ５の情報がパーソナルコンピュータ２に送信される。
【００３６】
部品棚１は、部品倉庫内に複数設置され、それぞれＡ，Ｂ，Ｃ…の識別子を付けられている。また、棚には１，２，３，４の識別子が付けられ、各棚の位置にはａ，ｂ，ｃ…の識別子が付けられている。
【００３７】
部品棚１の各棚の上部にはＲＦＩＤ（Radio Frequency IDentification）リーダ１１が、水平方向に移動可能（ａの位置とｈの位置の間を移動）に取り付けられており、部品棚１の各棚には重さセンサー１２が付けられ、ａ，ｂ，ｃ…のどの位置に部品８が置かれたかや、どの位置から部品８が取り出されたかを検出し、検出した位置にＲＦＩＤリーダ１１が移動し、部品８に付けられた電子ペーパー付きのＲＦＩＤタグ１３から情報を読み出し、検出の種別（載置、取出）、検出した位置の情報（部品棚１の識別子、棚の識別子、棚内の位置の識別子）とともにパーソナルコンピュータ２に送信する。
【００３８】
またＲＦＩＤリーダ１１は、パーソナルコンピュータ２の制御により移動し、パーソナルコンピュータ２の制御により目的の部品８に付けられたＲＦＩＤタグ１３の情報を読み取ったり、緊急の部品の場合、ＲＦＩＤタグ１３に情報を書き込んで電子ペーパーに所定の色を発色させたりする。
【００３９】
図２は、ＲＦＩＤタグ１３の構成例を示す図である。
【００４０】
図２に示すように、ＲＦＩＤタグ１３は、所定の色を発色させる色表示部１３ｄを有する電子ペーパー部１３ａと、電子ペーパー部１３ａを制御して色表示部１３ｄに色を発色させたり、他の部分に情報を表示させたりする電子ペーパー制御部１３ｂと、ＲＦＩＤリーダ１１との間で無線通信を行い、受信した情報を記憶したり、記憶している情報を送信したり、受信した情報に従って電子ペーパー制御部１３ｂに命令を出して色表示部１３ｄに色を発色させたりするＲＦＩＤタグ部１３ｃとを備えている。
【００４１】
電子ペーパー部１３ａの色表示部１３ｄに表示させる色は、伝票種別カラーパレットとして予め設定された複数の色から１つが選択されて表示され、また、社会システムに関する部品のように緊急性が非常に高い部品に対しては、社会システムカラーパレットとして予め設定された色がさらに表示される。
【００４２】
アクティブタグリーダ６は、部品倉庫内の天井や壁に複数設置され、アクティブタグ５からの電波を受信し、読み取ったアクティブタグ５の識別情報をパーソナルコンピュータ２に送信する。
【００４３】
パーソナルコンピュータ２は、アクティブタグリーダ６の設置位置を記憶しており、アクティブタグリーダ６の受信したアクティブタグ５の識別情報により、アクティブタグ５の位置を捕捉している。
【００４４】
このような出庫管理システムにおいて、部品８には該部品に関する情報（図番など）が書き込まれたＲＦＩＤタグ１３が付けられ、部品棚１に置かれる。すると、重さセンサー１２がこれを検知し、ＲＦＩＤリーダ１１が当該位置付近に移動しＲＦＩＤタグ１３の情報を読み取り、検出の種別（この場合、載置）、置かれた場所の情報（部品棚１の識別子、棚の識別子、棚内の位置の識別子）とともにパーソナルコンピュータ２に送信する。
【００４５】
パーソナルコンピュータ２は、ＲＦＩＤリーダ１１からの検出の種別が載置の検出情報を受信すると、ＲＦＩＤタグ１３から読み取った部品８の情報を、在庫情報として置かれた場所の情報とともに在庫データベースに記憶する。
【００４６】
図３は、在庫データベースの構成例を示す図である。図３に示すように、図番、品名、載置された位置の情報が格納され管理されている。
【００４７】
このように、部品８にＲＦＩＤタグ１３を付けて部品棚１の棚に置くだけで、部品の図番などの情報と置かれている位置情報がデータベースに記憶され管理される。
【００４８】
この出庫管理システムは、パーソナルコンピュータ２に、図示しないネットワークを介して接続されたパーソナルコンピュータなどから在庫状況の参照を行うことができるようになっており、在庫のある部品については、出庫の依頼もできるようになっている。また、社会システムに関係する部品などの緊急の出庫の依頼もできるようになっている。
【００４９】
具体的には、パーソナルコンピュータ２は、出庫依頼を受け付けると、図４のフローチャートに示すように、出庫対象となる部品の図番から在庫データベースを検索し、部品の位置情報を取得する（Ｓ１１）。
【００５０】
次いで、パーソナルコンピュータ２は、出庫依頼が緊急のものであるか判定し（Ｓ１２）、緊急のものでなければ、図番や部品の位置情報を表示する伝票を印刷し（Ｓ２２）、終了する。
【００５１】
緊急のものであれば、伝票種別カラーパレットから未使用の色、例えば青を選択する（Ｓ１３）。
【００５２】
次いで、出庫依頼が社会システムに関する部品のように緊急性が非常に高い部品であるか判定し（Ｓ１４）、緊急性が非常に高い部品であれば、社会システムカラーパレットの色、例えば赤をさらに選択する（Ｓ１５）。
【００５３】
次いで、パーソナルコンピュータ２は、部品の位置情報から、当該部品の置かれている棚の上部のＲＦＩＤリーダ１１を、当該部品の置かれている位置（ａからｈのいずれか）付近に移動させ、ＲＦＩＤタグ１３に、選択された伝票種別カラーパレットの色（例えば青）、社会システムカラーパレットの色（例えば赤）を電子ペーパー部１３ａの色表示部１３ｄに表示するようにＲＦＩＤタグ１３に情報を書き込む（Ｓ１６）。
【００５４】
ＲＦＩＤタグ１３のＲＦＩＤタグ部１３ｃは、書き込まれた情報に従って、電子ペーパー制御部１３ｂに命令を出し、色表示部１３ｄに所定の色を発色させて、表示する。
【００５５】
次いで、パーソナルコンピュータ２は、所定の場所に、選択された伝票種別カラーパレットの色（例えば青）、社会システムカラーパレットの色（例えば赤）を表示するように図番や部品の位置情報を表示する伝票を印刷する（Ｓ１７）。
【００５６】
次いで、パーソナルコンピュータ２は、部品の位置情報と、アクティブタグ５の位置情報から、部品の一番近くにいるアクティブタグ５（作業者）を選択し（Ｓ１８）、該当アクティブタグ５を携帯している作業者の携帯送受信機４に、図番、部品の位置情報、個数、選択された伝票種別カラーパレットの色（例えば青）、社会システムカラーパレットの色（例えば赤）などを携帯送受信機４に表示させる情報を送信し、作業者が出庫作業に着手可能かを問い合わせ（Ｓ１９）、携帯送受信機４からの応答を判定する（Ｓ２０）。
【００５７】
携帯送受信機４からの応答が、着手不可であれば、次に近いアクティブタグ５を選択し（Ｓ２１）、同様に情報を送信して作業に着手可能か問い合わせる（Ｓ１９）。
【００５８】
着手可能な作業者が見つかったら終了する。
【００５９】
作業者は、携帯送受信機４に表示された部品棚１に行き、携帯送受信機４に表示された色のＲＦＩＤタグ１３を探せばよい。
【００６０】
そして、作業者が部品棚１から部品８を取り出すと、重さセンサー１２がこれを検知し、ＲＦＩＤリーダ１１が当該位置付近に移動し、ＲＦＩＤタグ１３の情報を読み出し、検出の種別（この場合、取り出されたこと）、部品の位置情報とともにパーソナルコンピュータ２に送信する。
【００６１】
パーソナルコンピュータ２は、ＲＦＩＤリーダ１１からの検出の種別が取出の検出情報を受信すると、ＲＦＩＤタグ１３から読み取った部品８の情報と取り出された場所の情報が一致するものを在庫データベースから検索し、一致するものを在庫データベースから削除する。
【００６２】
このように本実施形態においては、出庫する部品の近くにいる作業者の携帯送受信機４に作業指示が行くので、一旦プリンタ３のところに行く分の作業時間を短縮することができ、出庫時間を短縮することができる。
【００６３】
また、携帯送受信機４に出庫する部品の図番や位置情報を表示しているので、部品を容易に探し出すことができ、出庫時間を短縮することができる。
【００６４】
また、緊急の出庫指示の場合、携帯送受信機４とＲＦＩＤタグ１３の電子ペーパー部１３ａの色表示部１３ｄに選択された伝票種別カラーパレットの色が表示され、出庫依頼の部品が社会システムに関する部品のように緊急性が非常に高い部品であれば、さらに社会システムカラーパレットの色がそれぞれに表示され、作業者は、携帯送受信機４に表示された部品棚１に行き、携帯送受信機４に表示された色のＲＦＩＤタグ１３を探せばよく、部品を容易に見つけることができ、出庫時間を短縮することができる。
【００６５】
また、伝票にも伝票種別カラーパレットの色と社会システムカラーパレットの色が印刷されるので、部品と伝票の対応付けを迅速に行うことができ、出庫時間を短縮することができる。
【００６６】
また、社会システムに関する部品のように緊急性が非常に高い部品に対しては、社会システムカラーパレットの色が表示されているので、優先して処理することができ、出庫時間を短縮することができる。
【００６７】
また、部品を部品棚１に置くと、重さセンサー１２がこれを検知し、ＲＦＩＤリーダ１１で部品に付いたＲＦＩＤタグ１３の情報を読み出して、位置情報とともに在庫データベースに登録しているので、決められた場所に部品を置く必要がなく、棚スペースの有効利用を図ることができる。
【００６８】
次に、本発明の第２実施形態の出庫管理システムを説明する。なお、本実施形態は、上述の第１実施形態と略同様に構成されているので、図１、図２を流用して、特徴部分のみ説明する。
【００６９】
本実施形態の出庫管理システムは、使用期限が有る部品については期限を管理し、使用期限が有る部品が複数有る場合は、先に入庫された部品（保管時間が長いもの）を先に出庫するようになっている。
【００７０】
また、パーソナルコンピュータ２は、図示しないネットワークに接続されており、同じネットワークに接続されている、同様の出庫管理システムのパーソナルコンピュータとの在庫状況の参照を行うことができるようになっており、在庫のある部品については、出庫の依頼もできるようになっている。
【００７１】
このような出庫管理システムにおいて、部品８には該部品に関する情報、図番や、使用期限が有る部品の場合は、製造年月日、使用期限などが書き込まれたＲＦＩＤタグ１３が付けられ、部品棚１に置かれる。すると、重さセンサー１２がこれを検知し、ＲＦＩＤリーダ１１が当該位置付近に移動しＲＦＩＤタグ１３の情報を読み取り、検出の種別（この場合、載置）、置かれた場所の情報（部品棚１の識別子、棚の識別子、棚内の位置の識別子）とともにパーソナルコンピュータ２に送信する。
【００７２】
パーソナルコンピュータ２は、ＲＦＩＤリーダ１１からの検出の種別が載置の検出情報を受信すると、ＲＦＩＤタグ１３から読み取った部品８の情報を、在庫情報として、現在の日付を入庫日として、置かれた場所の情報とともに在庫データベースに記憶する。
【００７３】
図５は、本実施形態の在庫データベースの構成例を示す図である。図５に示すように、図番、品名、載置された位置、入庫日、製造日、使用期限の情報が格納され管理されている。
【００７４】
パーソナルコンピュータ２は、出庫依頼を受け付けると、図６のフローチャートに示すように、上述の実施形態と同様に、出庫対象となる部品の図番から在庫データベースを検索し、部品の位置情報を取得し、出庫依頼が緊急のものであるか判定し（Ｓ１１、Ｓ１２）、緊急のものでなければ、図番や部品の位置情報を表示する伝票を印刷し、終了する（Ｓ２２）。
【００７５】
緊急のものであれば、伝票種別カラーパレットから未使用の色を選択し、出庫依頼が緊急性が非常に高い部品であるか判定し、緊急性が非常に高い部品であれば、社会システムカラーパレットの色をさらに選択する（Ｓ１３からＳ１５）。
【００７６】
次いで、パーソナルコンピュータ２は、在庫データベースの情報から、出庫対象となる部品の中に使用期限が有る部品が有るかを判定する（Ｓ３１）。
【００７７】
使用期限が有る部品が有る場合、在庫データベースの製造年月日、使用期限から、期限切れの部品が有るか判定する（Ｓ３２）。
【００７８】
期限切れの部品が有る場合、該当部品の位置情報から、当該部品の置かれている棚の上部のＲＦＩＤリーダ１１を、当該部品の置かれている位置（ａからｈのいずれか）付近に移動させ、ＲＦＩＤタグ１３に、先入先出管理カラーパレットの色（例えば黄色）を電子ペーパー部１３ａの色表示部１３ｄに点滅させて表示するようにＲＦＩＤタグ１３に情報を書き込む（Ｓ３３）。
【００７９】
そして、パーソナルコンピュータ２は、ネットワークを介して接続されている他の出庫管理システムのパーソナルコンピュータに、期限切れの部品の情報を送信する（Ｓ３４）。
【００８０】
次いで、パーソナルコンピュータ２は、同一図番の部品の期限切れでない在庫が複数有るかを判定し（Ｓ３５）、同一図番の部品の期限切れでない在庫が複数有れば、それぞれの部品の入庫日を参照し、入庫日が一番古い部品に対して、先入先出管理カラーパレットの色、例えば黄色をさらに選択する（Ｓ３６）。
【００８１】
次いで、パーソナルコンピュータ２は、部品の位置情報から、当該部品の置かれている棚の上部のＲＦＩＤリーダ１１を、当該部品の置かれている位置（ａからｈのいずれか）付近に移動させ、ＲＦＩＤタグ１３に、選択された伝票種別カラーパレットの色（例えば青）、社会システムカラーパレットの色（例えば赤）、先入先出管理カラーパレットの色（例えば黄色）を電子ペーパー部１３ａの色表示部１３ｄに表示するようにＲＦＩＤタグ１３に情報を書き込む（Ｓ１６）。
【００８２】
ＲＦＩＤタグ１３のＲＦＩＤタグ部１３ｃは、書き込まれた情報に従って、電子ペーパー部１３ａの色表示部１３ｄに所定の色を発色させて、表示する。
【００８３】
次いで、パーソナルコンピュータ２は、所定の場所に、選択された伝票種別カラーパレットの色（例えば青）、社会システムカラーパレットの色（例えば赤）を表示するように図番や部品の位置情報を表示する伝票を印刷する（Ｓ１７）。
【００８４】
次いで、パーソナルコンピュータ２は、部品の位置情報と、アクティブタグ５の位置情報から、部品の一番近くにいるアクティブタグ５（作業者）を選択し（Ｓ１８）、該当アクティブタグ５を携帯している作業者の携帯送受信機４に、図番、部品の位置情報、個数、選択された伝票種別カラーパレットの色（例えば青）、社会システムカラーパレットの色（例えば赤）、先入先出管理カラーパレットの色（例えば黄色）などを携帯送受信機４に表示させる情報を送信し、作業者が出庫作業に着手可能かを問い合わせ（Ｓ１９）、携帯送受信機４からの応答を判定する（Ｓ２０）。
【００８５】
携帯送受信機４からの応答が、着手不可であれば、次に近いアクティブタグ５を選択し（Ｓ２１）、同様に情報を送信して作業に着手可能か問い合わせ（Ｓ１９）、着手可能な作業者が見つかったら終了する。
【００８６】
また、使用期限が切れて、ＲＦＩＤタグ１３の電子ペーパー部１３ａの色表示部１３ｄに先入先出管理カラーパレットの色（例えば黄色）が点滅して表示されている部品８を作業者が部品棚１から取り出すと、重さセンサー１２がこれを検知し、ＲＦＩＤリーダ１１が当該位置付近に移動し、ＲＦＩＤタグ１３の情報を読み出し、検出の種別（この場合、取り出されたこと）、部品の位置情報とともにパーソナルコンピュータ２に送信する。
【００８７】
パーソナルコンピュータ２は、ＲＦＩＤリーダ１１からの検出の種別が取出の検出情報を受信すると、ＲＦＩＤタグ１３から読み取った部品８の情報と取り出された場所の情報が一致するものを在庫データベースから検索し、一致するものを在庫データベースから削除する。
【００８８】
また、他の出庫管理システムから使用期限切れの部品の情報を受信すると、同じ図番の部品を在庫データベースから検索し、部品の製造年月日、使用期限から、期限切れとなっているかを判定し、期限切れになっている部品には、上述のように、ＲＦＩＤタグ１３の電子ペーパー部１３ａの色表示部１３ｄに先入先出管理カラーパレットの色（例えば黄色）を点滅表示させるようにする。そして、部品棚１から取り出されると、上述のように、在庫データベースから削除される。
【００８９】
このように本実施形態においては、使用期限の有る部品で、在庫が複数有る場合、入庫日が古いものから出庫するように指示しているので、入庫日からの時間経過が長いものから出庫することができ、長期滞留品（古い部品）在庫を防止することができる。
【００９０】
また、使用期限が切れた部品については、電子ペーパー部１３ａの色表示部１３ｄに表示を行って、出庫対象としないので、使用期限が切れた部品を知らせることができ、使用期限管理を行うことができる。
【００９１】
また、使用期限が切れた部品が有った場合、該当部品の情報を、他の出庫管理システムに送信しているので、他の出庫管理システムで管理している部品でも使用期限切れとなっている恐れのある部品を知らせることができ、複数の部品倉庫で同様の出庫管理システムで同様の部品の管理を行っている場合、一つの部品倉庫で部品の使用期限切れが分かれば、他の部品倉庫にある同じ部品の使用期限切れのものを一掃することができる。
【図面の簡単な説明】
【００９２】
【図１】本発明の第１実施形態の出庫管理システムを示す図であり、その全体構成図である。
【図２】本実施形態のＲＦＩＤタグの構成例を示す図である。
【図３】本実施形態の在庫データベースの構成例を示す図である。
【図４】本実施形態の出庫指示処理を説明するためのフローチャートである。
【図５】本発明の第２実施形態の出庫管理システムを示す図であり、その在庫データベースの構成例を示す図である。
【図６】本実施形態の出庫指示処理を説明するためのフローチャートである。
【符号の説明】
【００９３】
１  部品棚
２  パーソナルコンピュータ
３  プリンタ
４  携帯送受信機
５  アクティブタグ
６  アクティブタグリーダ
７  インタフェース
８  部品
１１  ＲＦＩＤリーダ
１２  重さセンサー
１３  ＲＦＩＤタグ
１３ａ  電子ペーパー部
１３ｂ  電子ペーパー制御部
１３ｃ  ＲＦＩＤタグ部
１３ｄ  色表示部
【図１】
2007290863.tif 000003
【図２】
2007290863.tif 000004
【図３】
2007290863.tif 000005
【図４】
2007290863.tif 000006
【図５】
2007290863.tif 000007
【図６】
2007290863.tif 000008